(57)【要約】【課題】面ファスナーの連結片に、企業名やマーク等の識別表示を付すためのコストを安くする。【解決手段】雌連結片９が、基材部９Ａと、基材部９Ａから立設されたループ状係合素子９Ｂを有し、雌連結片９に、雌連結片９の着用者、又は、雌連結片９が取り付けられた物を識別するための識別表示１４が印刷され、識別表示１４が、「熱硬化性インキが、加熱乾燥処理により、熱硬化して、基材部９Ａの表面に定着することで、構成された第１定着部１５」と、「熱硬化性インキが、加熱乾燥処理により、熱硬化して、係合素子９Ｂにより囲繞された空間１７を閉塞することなく、係合素子９Ｂの全長にわたって、略連続して定着することで、構成されて、第１定着部１５と一体化された第２定着部１６」を有する立体構造とされている。【選択図】  図４
2005144067.tif 000002
【特許請求の範囲】
【請求項１】
連結片に、熱硬化性インキにより、印刷が施され、
加熱乾燥処理により、熱硬化性インキが熱硬化して、連結片に定着した面ファスナー装置。
【請求項２】
連結片に、
・  連結片の着用者、又は、連結片が取り付けられた物を識別するための識別表示
が印刷された請求項１記載の面ファスナー装置。
【請求項３】
連結片が、基材部と、基材部から立設された係合素子を有し、
連結片の印刷部が、
Ａ．熱硬化性インキが、熱硬化して、基材部の表面に定着することで、構成された第１    定着部と、
Ｂ．熱硬化性インキが、熱硬化して、係合素子の機能を損なうことなく、係合素子の全    長にわたって、略連続して定着することで、構成されて、第１定着部と一体化された    第２定着部
を有する立体構造とされた請求項１又は２記載の面ファスナー装置。
【請求項４】
雌連結片が、基材部と、基材部から立設されたループ状係合素子を有し、
雌連結片の印刷部が、
Ａ．熱硬化性インキが、熱硬化して、基材部の表面に定着することで、構成された第１    定着部と、
Ｂ．熱硬化性インキが、熱硬化して、係合素子により囲繞された空間を閉塞することな    く、係合素子の全長にわたって、略連続して定着することで、構成されて、第１定着    部と一体化された第２定着部
を有する立体構造とされた請求項１又は２記載の面ファスナー装置。
【請求項５】
複数の第２定着部が第１定着部と一体化された請求項３又は４記載の面ファスナー装置。
【請求項６】
雌連結片が雄連結片よりも軟質とされた請求項１〜５の何れかに記載の面ファスナー装置。
【請求項７】
シルク印刷により、印刷された請求項１〜６の何れかに記載の面ファスナー装置。
【請求項８】
雌連結片が衣服、帽子、鞄等の取付体に備えられて、
雌連結片に印刷が施され、
雄連結片が、身分証明書、名札、ゼッケン、マーク等の被取付体に備えられた請求項１〜７の何れかに記載の面ファスナー装置。
【発明の詳細な説明】
【技術分野】
【０００１】
本発明は、面ファスナー装置に関する。
【背景技術】
【０００２】
例えば、企業、官公庁、学校、その他の各種団体の制服に、面ファスナーを介して、身分証明書が取り付けられたものがある。この場合、通常、衣服に、面ファスナーの雌連結片が備えられ、身分証明書に、面ファスナーの雄連結片が備えられる。
ところで、上記の場合において、身分証明書を外した場合にも、制服着用者の所属企業等を識別できるように、衣服に備えられた雌連結片に、企業名やマーク等の識別表示が付されることが多いが、従来においては、例えば、刺繍により、雌連結片に識別表示が付されていた。
然しながら、刺繍により、雌連結片に識別表示を付すことは、コストが高くつき、この点に関する改善が要望されていた。
【発明の開示】
【発明が解決しようとする課題】
【０００３】
解決しようとする問題点は、面ファスナーの連結片に、企業名やマーク等の識別表示を付すためのコストを安くする点等である。
【課題を解決するための手段】
【０００４】
本発明は、上記問題点を解決した面ファスナー装置を提供することを目的とし、その特徴とするところは、連結片に、熱硬化性インキにより、印刷が施され、加熱乾燥処理により、熱硬化性インキが熱硬化して、連結片に定着した点にある。
尚、連結片に、・  連結片の着用者、又は、連結片が取り付けられた物を識別するための識別表示が印刷されることもある。
又、連結片が、基材部と、基材部から立設された係合素子を有し、連結片の印刷部が、Ａ．熱硬化性インキが、熱硬化して、基材部の表面に定着することで、構成された第１定着部と、Ｂ．熱硬化性インキが、熱硬化して、係合素子の機能を損なうことなく、係合素子の全長にわたって、略連続して定着することで、構成されて、第１定着部と一体化された第２定着部を有する立体構造とされることもある。
更に、雌連結片が、基材部と、基材部から立設されたループ状係合素子を有し、雌連結片の印刷部が、Ａ．熱硬化性インキが、熱硬化して、基材部の表面に定着することで、構成された第１定着部と、Ｂ．熱硬化性インキが、熱硬化して、係合素子により囲繞された空間を閉塞することなく、係合素子の全長にわたって、略連続して定着することで、構成されて、第１定着部と一体化された第２定着部を有する立体構造とされることもある。
又、複数の第２定着部が第１定着部と一体化されることもある。
更に、雌連結片が雄連結片よりも軟質とされることもある。
又、シルク印刷により、印刷されることもある。
更に、雌連結片が衣服、帽子、鞄等の取付体に備えられて、雌連結片に印刷が施され、雄連結片が、身分証明書、名札、ゼッケン、マーク等の被取付体に備えられることもある。
【発明の効果】
【０００５】
本発明によれば、連結片に、企業名やマーク等の識別表示を印刷でき、連結片に識別表示を付すためのコストを、刺繍による場合よりも、安くできる。又、加熱乾燥処理により、熱硬化性インキが熱硬化して、連結片に定着し、連結片に絡み付いた状態となるので、連結片から印刷部が剥離しにくい。
請求項３，４記載の発明によれば、連結片の印刷部が、連結片の基材部及び係合素子の両者に絡み付いた立体構造とされているので、連結片から印刷部が剥離し難いと共に、印刷を鮮明に行なえ、しかも、印刷により、連結片の機能が阻害される惧れもない。
請求項５記載の発明によれば、連結片の印刷部では、多数の第２定着部が同一の第１定着部と一体化して、強固な立体構造を構成しているので、その分、連結片から印刷部が剥離し難い。
請求項６記載の発明によれば、雌連結片が雄連結片よりも軟質とされているため、雌連結片に外力が作用した際に、雌連結片がスムーズに湾曲し、雌連結片に鋭角部分が生じ難い。それ故、雌連結片に印刷を施せば、上記のように、外力が作用した際に、印刷部に大きな応力集中が生じ難く、その分、雌連結片から印刷部が剥離し難い。又、この雌連結片が備えられた制服等の洗濯時には、雌連結片に外力が作用するが、上記のように、印刷部に大きな応力集中が生じ難いので、洗濯を繰り返しても、雌連結片から印刷部が剥離し難い。
【発明を実施するための最良の形態】
【０００６】
本発明は、連結片に、企業名やマーク等の識別表示を付すためのコストを安くできる面ファスナー装置を提供する。
【実施例１】
【０００７】
以下、本発明の一実施例を、図１〜図５の図面に基づき説明すると、図１及び図２は、企業の制服１の一部を示し、取付体として例示されている。制服１には、面ファスナー２を介して、身分証明書３が、取り付けられている。身分証明書３は、被取付体として例示されるもので、この身分証明書３には、着用者を識別するための表示等が付されている。本例では、身分証明書３には、企業名４、役職名（又は、所属部署名及び役職名）５、制服着用者の名前６、写真７等が付されている（尚、身分証明書３には、企業の住所、電話番号、ＦＡＸ番号、或いは、制服着用者の血液型等が付されているが、図面では省略した。尚、身分証明書３に、何を記載するかは、自由である。）。尚、制服１が、官公庁、学校、その他の各種団体用である場合には、身分証明書３には、企業名に代えて、官公庁、学校、その他の各種団体の名称が記載される。
【０００８】
図３にも示すように、面ファスナー２は、制服１に備えられる雌連結片９と、身分証明書３に備えられる雄連結片１０を有し、これら連結片９，１０は、解除可能に機械的に係合、連結される。各連結片９，１０は、基材部９Ａ，１０Ａと、基材部９Ａ，１０Ａから立設された係合素子９Ｂ，１０Ｂを有し、各基材部９Ａ，１０Ａが、粘着剤１１，１２を介して、制服１、又は、身分証明書３に接着されている。雌連結片９の（雌型、ループ型）係合素子９Ｂは、ループ状とされ、雄連結片１０の（雄型、フック型）係合素子１０Ｂは、マッシュルーム状、又は、フック状とされている。雌連結片９は、雄連結片１０の係合素子１０Ｂが係合し易いように、比較的軟質の樹脂（プラスチック）等（例えば、ポリエステル系ファブリックにポリエチレンテレフタレートフィルムをラミネートしたもの等）により構成され、又、雄連結片１０は、雌連結片９の係合素子９Ｂに係合し易いように、比較的硬質の樹脂（プラスチック）等（例えば、ポリプロピレンを主成分とする樹脂等）により構成されている。尚、各連結片９，１０の構成材料は、上記に限定されず、又、各連結片９，１０は、粘着剤１１，１２をその構成要素として含む場合もある。
【０００９】
ところで、上記のように、身分証明書３は、面ファスナー２を介して、制服１に取り付けられているが、身分証明書３を制服１から取り外した際にも、制服着用者を識別できるように、雌連結片９には、熱硬化性インキ（インク）で、シルク印刷により、企業名として例示される識別表示１４が印刷されている。即ち、雌連結片９には、熱硬化性インキ（インク）が付着されて、加熱乾燥処理により、熱硬化し、定着している。尚、識別表示１４として、マーク等が使用されることもある。
【００１０】
図４及び図５に示すように、雌連結片９の印刷部である識別表示１４は、連続した立体構造とされており、第１定着部１５と、第２定着部１６を有する。第１定着部１５は、熱硬化性インキが、加熱乾燥処理により、熱硬化し、基材部９Ａの表面に絡み付いて、定着することで、構成されている。又、第２定着部１６は、熱硬化性インキが、加熱乾燥処理により、熱硬化し、係合素子９Ｂの先端から基端まで、（略）全長にわたって、（略）連続して絡み付いて、定着することで、構成されており、多数（複数）の第２定着部１６が、同一の第１定着部１５と一体化している。尚、第２定着部１６は、係合素子９Ｂにより囲繞された空間（ループ部分の内部空間）１７を閉塞しておらず、雌連結片９の係合素子９Ｂの機能を損なうことはない。尚、制服１に、雌連結片９ではなく、雄連結片１０を備えて、この雄連結片１０に印刷を施す場合もある。尚、図４及び図５は、模式図であって、実際に印刷した場合には、これらの図とは異なる場合もある。
【００１１】
尚、上記熱硬化性インキは、顔料と、熱硬化性樹脂と、トルエン等の（有機）溶媒と、必要に応じて添加される各種添加剤を含有している。顔料としては、例えば、有機顔料、カーボンブラック、チタン白、金属粉等の無機顔料が使用される。又、熱硬化性樹脂としては、例えば、エポキシ系樹脂、アクリル系樹脂、フェノール系樹脂、エンチオール系樹脂等が使用される。更に、添加剤としては、例えば、ミスト防止剤、すべり剤、酸化防止剤、乾燥剤、湿潤剤、粘度改良剤、ワックス等が使用される。上記熱硬化性インキは、印刷時に、市販のインキを原液の状態、即ち、粘度の高い状態で使用するが、市販のインキを溶媒で薄めて、粘度を低くして使用する場合もある。
【００１２】
又、シルク印刷（シルクスクリーン印刷、スクリーン印刷）は、従前と同様に、下記のように行なわれる。即ち、シルク状のスクリーンに、例えば、感光液を塗布して、フィルムから焼付けを行なった後、未感光部を洗い出し、これにより、網目で所要の文字や絵柄を表現した版を形成する。この版に熱硬化性インキを載せ、スキージで掻き取るように延ばしていくことにより、スクリーンの網目ステンシルを通して、連結片の印刷面に熱硬化性インキを移した後、下記のように、加熱乾燥処理を行なう。尚、雌連結片９への印刷にシルク印刷を使用するのは、凹凸面の印刷にシルク印刷が適しているからであるが、雌連結片９への印刷に、他の印刷方法を使用することもある。
【００１３】
更に、熱硬化性インキの加熱乾燥には、従来の加熱乾燥装置や電子レンジ等が使用される。尚、電子レンジを使用する場合には、例えば、５００Ｗの電子レンジが使用されて、２００℃で、１０分間、加熱乾燥される。尚、雌連結片９の構成材料は、この加熱時の温度に耐える材料とされている。
【００１４】
上記構成例によれば、下記の効果を奏する。
１．制服１に備えられる雌連結片９に、刺繍ではなく、印刷により、企業名４を付すよう  にしたので、雌連結片９に企業名４を付すコストを安くできる。
２．雌連結片９に、熱硬化性インキが付着されて、加熱乾燥処理により、熱硬化性インキ  が熱硬化することで、雌連結片９に印刷が施されたので、雌連結片９の印刷部である識  別表示１４では、雌連結片９に熱硬化性インキが熱硬化して、絡み付いた状態となり、  雌連結片９から識別表示１４が剥離しにくい。
３．印刷を施した雌連結片９は雄連結片１０よりも軟質であるため、外力が作用した際に  、スムーズに湾曲して、鋭角部分が生じ難く、その結果、印刷部である識別表示１４に  大きな応力集中が生じ難く、その分、雌連結片９から識別表示１４が剥離し難い。又、  雌連結片９が備えられた制服１の洗濯時には、雌連結片９に外力が作用するが、上記の  ように、識別表示１４に大きな応力集中が生じ難いので、洗濯を繰り返しても、雌連結  片９から識別表示１４が剥離し難い。
４．雌連結片９の印刷部である識別表示１４が、
Ａ．熱硬化性インキが、熱硬化して、基材部９Ａの表面に定着することで、構成され      た第１定着部１５と、
Ｂ．熱硬化性インキが、熱硬化して、係合素子９Ｂの全長にわたって、（略）連続し      て定着することで、構成されて、第１定着部１５と一体化した第２定着部１６
を有する立体構造とされており、識別表示１４が、基材部９Ａ及び係合素子９Ｂの両者  に絡み付いた立体構造とされているので、雌連結片９から識別表示１４が剥離し難いと  共に、印刷を鮮明に行なえる。
５．特に、雌連結片９の印刷部である識別表示１４では、多数の第２定着部１６が同一の  第１定着部１５と一体化して、強固な立体構造を構成しているので、その分、雌連結片  ９から識別表示１４が剥離し難い。
６．雌連結片９の印刷部である識別表示１４の第２定着部１６が、係合素子９Ｂにより囲  繞された空間１７を閉塞していないので、識別表示１４が、雌連結片９の機能を阻害す  る惧れがない。
【００１５】
尚、実施例では、取付体を制服とし、被取付体を身分証明書としたが、取付体を、その他各種衣服、制帽等の帽子、鞄等とし、被取付体を、名札、ゼッケン、マーク等とすることもある。
【図面の簡単な説明】
【００１６】
【図１】本発明の一実施例を示す正面図である。
【図２】図１から身分証明書を取り外した状態を示す正面図である。
【図３】本発明の一実施例を示す断面図である。
【図４】本発明の一実施例を示す断面図である。
【図５】図４のＡ−Ａ線矢視断面図である。
【符号の説明】
【００１７】
１  制服（取付体）
２  面ファスナー
３  身分証明書
９，１０  雌・雄連結片
９Ａ，１０Ａ  基材部
９Ｂ，１０Ｂ  係合素子
１４  識別表示（印刷部）
１５，１６  第１・第２定着部
１７  空間
【図１】
2005144067.tif 000003
【図２】
2005144067.tif 000004
【図３】
2005144067.tif 000005
【図４】
2005144067.tif 000006
【図５】
2005144067.tif 000007